(57)【要約】【課題】２つのフィルムロールから繰り出した２枚のフィルムシートの間に被包装物を挟んで前後左右を熱溶着して包装する包装装置において、溶着先端がずれたり、しわができたり、折れた状態で溶着されたりしないようにする。【解決手段】従来装置における、搬送ベルト、被包装物の先端、後端検知センサ、制御手段に加えて、少くとも一方のフィルムロールに対し搬送ベルトとより遅い速度でフィルムを繰り出せるフィルム駆動手段を設け、包装開始前の状態で被包装物挿入押し込みの抵抗を小さくするためフィルムにたるみを持たせておき、フィルムに挟まれた被包装物が搬送ベルトで搬送されるとフィルム駆動手段も駆動させ、たるみが少なくなって行きゼロになる瞬間では駆動させておき張力の衝撃を柔らげその後停止させ、被包装物後端側の熱溶着が終った後で、次の包装のためのたるみを形成させる。【選択図】図１
2008013225.tif 000002
【特許請求の範囲】
【請求項１】
２個のフィルムロールからそれぞれ繰り出され、先端が互いに熱溶着された２枚のフィルムの間に被包装物を挟んで搬送ベルトにくわえさせて搬送し、途中で停止して２枚のフィルムの被包装物後端側および左右両側を熱溶着する包装装置であって、
（イ）  搬送ベルトを搬送駆動する搬送駆動手段と、
（ロ）  搬送ベルトの搬送速度より遅い速度でフィルムを繰り出すよう一方のフィルムロールをフィルム駆動ローラによって回転駆動するフィルム駆動手段と、
（ハ）  ２枚のフィルムに挟まれた被包装物の先端の到来および後端の到来を検知するセンサと、
（ニ）  センサからの検知信号により、フィルム駆動手段と搬送駆動手段と熱溶着手段の駆動を制御する制御手段と、
を有し、制御手段は、センサからの被包装物の先端検知信号を受けると搬送駆動手段を動作させそれと同時或いは遅れてフィルム駆動手段を動作させフィルム供給の経路途中におけるフィルムのたるみを少くして行き、たるみがなくなった後フィルム駆動手段を停止させ、センサから被包装物の後端検知信号を受けたときは搬送駆動手段を停止させ被包装物の後端側で２枚のフィルムを熱溶着させ、溶着が完了した後、搬送手段を再び動作させ包装完了物を排出させるとともに、フィルム駆動手段を再び駆動させてフィルムを繰り出させフィルム供給経路途中に予め設定した量のたるみを形成させて停止させるよう制御することを特徴とする包装装置。
【請求項２】
フィルム駆動手段が、駆動回転方向と逆の回転方向には空転するワンウェイクラッチを具備していることを特徴とする請求項１記載の包装装置。
【請求項３】
フィルム駆動手段がその回転量を検出するための回転検知手段を有し、制御手段は回転検知信号を受け、被包装物後端側フィルム熱溶着後にフィルム駆動手段を駆動させたとき回転量が予め設定した回転量に達したときに駆動を停止させるように制御することを特徴とする請求項１又は請求項２記載の包装装置。
【請求項４】
フィルム駆動手段の駆動を停止したときに、慣性でフィルムロールが回転しないよう摩擦負荷をかけておく慣性回転防止手段を具備することを特徴とする請求項１ないし３のいずれか１項に記載の包装装置。
【請求項５】
請求項１ないし４のいずれか１項の発明構成に加えて、他方のフィルムロールに対しても一方のフィルムロールに対すると同様の駆動を行う第２のフィルム駆動手段を有し、制御手段が一方のフィルムロールのフィルム駆動手段に対すると同様の制御を行うことを特徴とする包装装置。
【発明の詳細な説明】
【技術分野】
【０００１】
本発明は、２個のフィルムロールから繰り出され、先端が互いに熱溶着された２枚の合成樹脂フィルムシートの間に新聞等の被包装物を挟んで搬送ベルトにくわえさせて搬送し、途中で停止させて２枚のフィルムの被包装物後端側および両脇を熱溶着して包装する包装装置の技術分野に属する。
【背景技術】
【０００２】
例えば、新聞等を包装する包装装置は、フィルムロールから繰り出され、先端が溶着されている２枚のフィルムの間に手で新聞を押し込むことにより、新聞が２枚のフィルムに挟まれた状態で搬送ベルトの間に押し込むようになっている。
新聞を手で２枚のフィルムの間に押し込むと、新聞に押されてフィルムが前進するので、その力でフィルムロールが回転してフィルムが繰り出される。
さらにその後、新聞がフィルムとともに搬送ベルトの間に押し込まれると、以後は搬送ベルトの搬送力により、さらにフィルムが前進し、その力でフィルムロールが回転してフィルムが繰り出される。
フィルムと新聞は搬送ベルトで搬送中に一旦停止し、新聞の周りのフィルムが溶着される。その後搬送ベルトの駆動を再開させることで新聞を引張り、その後端側の溶着部で切断され、包装が完了する。
【０００３】
新聞の挿入口と溶着部との間には、２枚のフィルムを互いに重ねる方向に付勢するシャッターが設けられ、新聞はこの付勢に抗して挿入される。それ以後はシャッターの付勢力は新聞と２枚のフィルムをともに挟む方向に働くから、２枚のフィルムはそれぞれ新聞の表面、裏面に沿ってしわ等無く安定して送られる（例えば、特許文献１参照）。
【特許文献１】特願２００６−０６２７１０号（［００２３］以下、図１）
【発明の開示】
【発明が解決しようとする課題】
【０００４】
しかしながら、このような包装装置には以下のような問題があった。
２枚のフィルムの間に新聞等の被包装物を挟んだ状態で搬送する搬送ベルトは、２枚のフィルムの新聞後端側と左右両側を熱溶着するために停止する。
しかし、この時フィルムロールは慣性があるため、搬送ベルトとの停止と同時には停止することができず、慣性によって或る程度回転してから停止する。このためフィルムロールから繰り出されたフィルムはフィルム供給過程の途中でたるみを生ずることになる。
【０００５】
すると次回の包装時に新聞を挿入すると、このたるみが解消されるまでの間は、新聞でフィルムを押し込む力は比較的小さくてすむから、容易に押し込むことができる。新聞にかかる抵抗力は、フィルムのたるみを解消するのに必要とする力だけであって、フィルムロールからフィルムを繰り出すのに必要な力はかからないからである。
【０００６】
しかしこのたるみが解消されると、フィルムが張った瞬間に、フィルムの進行に対する抵抗力が瞬間的に増す。たるみが解消された瞬間以後はロールからフィルムを繰り出すのに必要な力が加わるからである。
【０００７】
このように抵抗力が瞬間的に増すことによって、フィルムが引っ張られ、次のような不具合により、包装後の見栄えが低下することがあった。
第１に被包装物先端とフィルムの溶着先端がずれる。
第２に被包装物の幅方向両側部でフィルムがめくり上がって、先端が折れた状態で溶着される。
第３にフィルムの引張力がシャッターの付勢力に勝ってしまい、搬送中にシャッターを開いてしまうので、新聞の面に沿った安定した送りが出来なくなり、しわを生じた状態で溶着されてしまう。
等である。
【０００８】
これらの不具合により、包装後の見栄えが低下するという不具合があった。
途中で抵抗力が瞬間的に増大しないように、新聞挿入前のたるみを大きくすれば、新聞搬送中にたるみが解消せず、それによる衝撃もないが、しわになったまま溶着されて、包装後の見栄えが悪くなる。たるみの解消によってフィルムのしわが伸び、フィルム形状が安定するので、たるみの解消そのものは必要である。
【０００９】
しかし、最初からたるみがないと、被包装物が薄物で腰がない場合には、被包装物の先端でフィルムの溶着先端部を押して搬送ベルト迄で達するためフィルムロールからフィルムを引き出すのは抵抗があって難しくなってくるので、最初はたるみが必要である。
【００１０】
以上のところから本発明の包装装置の解決課題は、フィルム供給経路途中に、搬送開始前にはたるみを有しているが、搬送途中でたるみがなくなるようにし且つそのときの瞬間抵抗力をできるだけ小さくするとともに、次の包装のためのたるみを生じさせるようにした包装装置を提供することである。
【課題を解決するための手段】
【００１１】
本発明は上記の課題を解決するために、次の各手段構成を有する。
本発明の第１の構成（基本構成）は、２個のフィルムロールからそれぞれ繰り出され、先端が互いに熱溶着された２枚のフィルムの間に被包装物を挟んで搬送ベルトにくわえさせて搬送し、途中で停止して２枚のフィルムの被包装物後端側および左右両側を熱溶着する包装装置であって、
（イ）  搬送ベルトを搬送駆動する搬送駆動手段と、
（ロ）  搬送ベルトの搬送速度より遅い速度でフィルムを繰り出すよう一方のフィルムロールをフィルム駆動ローラによって回転駆動するフィルム駆動手段と、
（ハ）  ２枚のフィルムに挟まれた被包装物の先端の到来および後端の到来を検知するセンサと、
（ニ）  センサからの検知信号により、フィルム駆動手段と搬送駆動手段と熱溶着手段の駆動を制御する制御手段と、
を有し、制御手段は、センサからの被包装物の先端検知信号を受けると搬送駆動手段を動作させそれと同時或いは遅れてフィルム駆動手段を動作させフィルム供給の経路途中におけるフィルムのたるみを少くして行き、たるみがなくなった後フィルム駆動手段を停止させ、センサから被包装物の後端検知信号を受けたときは搬送駆動手段を停止させ被包装物の後端側で２枚のフィルムを熱溶着させ、溶着が完了した後、搬送手段を再び動作させ包装完了物を排出させるとともに、フィルム駆動手段を再び駆動させてフィルムを繰り出させフィルム供給経路途中に予め設定した量のたるみを形成させて停止させるよう制御することを特徴とする包装装置である。
【００１２】
本発明の第２の構成は、前記第１の構成において、フィルム駆動手段が、駆動回転方向と逆の回転方向には空転するワンウェイクラッチを具備していることを特徴とする包装装置である。
【００１３】
本発明の第３の構成は、前記第１の構成又は第２の構成において、フィルム駆動手段がその回転量を検出するための回転検知手段を有し、制御手段は回転検知信号を受け、被包装物後端側フィルム熱溶着後にフィルム駆動手段を駆動させたとき回転量が予め設定した回転量に達したときに駆動を停止させるように制御することを特徴とする包装装置である。
【００１４】
本発明の第４の構成は、前記第１の構成ないし第３の構成のいずれか１つの構成において、フィルム駆動手段の駆動を停止したときに、慣性でフィルムロールが回転しないよう摩擦負荷をかけておく慣性回転防止手段を具備することを特徴とする包装装置である。
【００１５】
本発明の第５の構成は、前記第１の構成ないし第４の構成のいずれか１つの発明構成に加えて、他方のフィルムロールに対しても一方のフィルムロールに対すると同様の駆動を行う第２のフィルム駆動手段を有し、制御手段が一方のフィルムロールのフィルム駆動手段に対すると同様の制御を行うことを特徴とする包装装置である。
【発明の効果】
【００１６】
本発明の第１の構成（基本構成）においては、フィルム駆動手段によってフィルムロールからフィルムを繰り出せるようにしており、１回の包装動作の完了後、予め設定した量のフィルムを繰り出させて、フィルム供給経路に一定のたるみを持たせるようにしている。即ち、包装の開始時にはフィルムにたるみがあることが前提となっている。
このたるみがあることによって、被包装物を挿入口から挿入して押し込んだ場合、このたるみ部分からフィルムが供給されることになり、被包装物の先端で、フィルムの溶着先端を押して前進するための力が小さくて済むので、薄い腰の弱い被包装物であっても、押し込み前進が可能になるという効果がある。被包装物の先端がセンサに達すると制御手段は搬送駆動手段を駆動させ搬送ベルトが回転し出す。そして被包装物の先端が挟み込み搬送ベルトに達するとくわえ込まれて搬送されて行く。
【００１７】
搬送ベルトの回転開始と同時或いは遅れてフィルム駆動手段が駆動されフィルムロールからフィルムが供給され始める。このフィルム繰り出し速度は搬送ベルトの搬送速度より遅いので、フィルムのたるみは徐々に減少して行き搬送途中でたるみはなくなり、その後は搬送ベルトの搬送力でフィルムをフィルムロールから引っ張り出すことになる。そしてフィルム駆動手段は停止させる。たるみがなくなった瞬間は抵抗力が生じるが、フィルムロールはすでに回転しているので、従来のように回転していないフィルムロールから急にフィルムを引き出す場合に較べてすでに回転している分だけ抵抗力は従来より小さくなり、従来のように、フィルムの溶着先端が被包装物の先端からずれて側面に回り込むとか、被包装物の幅方向両側部でフィルムがめくり上って先端が折れた状態で溶着されるとか、フィルムの引張力がシャッターの付勢力に勝ってしまい、搬送中にシャッターが開いてしまい被包装物の面に沿った安定した送りが出来なくなり、しわが生じた状態で溶着されてしまうと言うような問題は解消されるという効果がある。
【００１８】
なお、被包装物挿入前に設定されるたるみ量は、被包装物を挿入口から押し込んでフィルムの溶着先端に達した後、更に押し込んで先端が搬送ローラに達するのにフィルムロールから供給する必要がなく、且つ搬送ベルトの搬送速度がフィルム駆動手段によるフィルム供給速度より速いことによって、被包装物の後端がセンサによって検知され搬送ベルトが停止するまでの間でできるだけ速くたるみがなくなるような量に設定する。
【００１９】
本発明の第２の構成においては、フィルム駆動手段に駆動回転方向と逆の回転方向には空転するワンウェイクラッチを具備しているので、たるみが解消して、フィルムが搬送ベルトによって、フィルム駆動手段によるフィルム供給速度よりも速い速度で引き出されても、フィルム駆動手段に対しては引き出すことによる回転力は加わらず無理のない引き出しを行うことができるという効果がある。
【００２０】
本発明の第３の構成においては、フィルム駆動手段の回転量を検出する回転検知手段を有しているので、たるみがなくなったあと停止したフィルム駆動手段を再び動作させて次の包装のためのたるみを形成する場合に、制御手段は、この回転検知信号を受け回転量が前記予め設定したたるみ量に達したときに駆動を停止させることにより正確なたるみ量のたるみを形成させることができるという効果がある。
【００２１】
本発明の第４の構成では、フィルム駆動手段の駆動を停止したときに、フィルムロールが慣性で回転しないよう摩擦負荷をかけておく慣性回転防止手段を具備しているので、たるみを形成する場合のたるみ量を正確にすることができるという効果がある。
【００２２】
本発明の第５の構成は、２つのフィルムロールの両方に対しフィルム駆動手段を設け、両者同様の制御を行うので片側のフィルムロールに対してだけフィルム駆動手段を設けている場合よりもより見栄えのする包装を行うことができるという効果がある。
【発明を実施するための最良の形態】
【００２３】
本発明で用いるフィルム駆動手段は、モータによって回転する回転軸に固定され駆動方向に回転するフィルム駆動ローラをフィルムロールに当接させるのが最良の実施の形態である。
更に、ワンウェイクラッチを設ける場合には、前記回転軸とフィルム駆動ローラの間に設けるのが最良である。
制御手段のフィルム駆動手段に対する制御は、搬送ベルトの駆動開始時或いはそれより遅れて駆動を開始し、フィルムのたるみがなくなった後駆動を停止するが、フィルムのたるみがなくなった後は、フィルムはフィルム駆動手段によるフィルム繰り出し速度より速い速度で、搬送ベルトにより引っ張られるので、フィルム駆動手段による駆動は意味がなくなるので、たるみがなくなった後できるだけ速い時点でフィルム駆動手段の駆動を停止するようにするのが最良である。
【００２４】
たるみの設定量は、先端溶着フィルムの間に被包装物を挿入して押し込んでゆき、その先端が搬送ベルトに達したときになおたるみが残っており、且つ、被包装物の後端がセンサに検知される前のできるだけ速い時点でたるみがなくなるように設定するのが最良である。
【実施例】
【００２５】
以下、本発明の包装装置の実施例を図面を参照して説明する。
図１は本発明実施例の構成を示す図である。
上方左右に帯状の合成樹脂フィルムが巻いてあるフィルムロール７とフィルムロール１８が配置されている。フィルムロール７からのフィルムはコロ８、コロ１０を経由してシャッタ２０の先端とナイフ受け１１の間を下へ抜けるようになっている。フィルムロール１８からのフィルムはプーリ１６、コロ１７を経由して、同じくシャッタ２０の先端とナイフ受け１１の間を、フィルムロール７からのフィルムと重なるようにして下へ抜けるようになっている。
包装の最終段階の工程では、溶着ナイフ２１が右方へ前進して２枚のフィルムが重なった状態でナイフ受け１１に押し付け熱溶着し、下方が搬送ベルト１３によって引きちぎられて搬送されて行くので、上方の２枚のフィルム先端はシャッタ２０の先端より下方、溶着ナイフ２１の高さ位置で溶着されフィルム溶着端２３を形成した状態となっている。
【００２６】
この状態で、上方の挿入口５から新聞６を挿入し押し込んで行くと、シャッタ２０の所で２枚のフィルムの間に入ることになり、更に押し込むと新聞６の前端はフィルム溶着端２３に達する。フィルム溶着端に達したあと更に押し込むと両側のフィルムを引っ張って前進することになる。
ナイフ受け１１の下方には、発光素子１２と受光素子２２とからなる光センサが設けられており、新聞の先端が光センサの光路を遮ることにより、新聞の先端の到来が検知される。受光素子２２は制御器４へ接続されており、制御器４は検知信号を受けると搬送ベルト１３の駆動を開始させる。
【００２７】
従って、新聞先端が搬送ベルト１３、１３へ達するまで押し込まれると、２つの搬送ベルト１３、１３にくわえられて下方へ引き込まれ搬送される。そして、新聞６の後端が光センサを通過したことが検知されると、制御器４は搬送ベルト１３、１３の回転を停止させる。従って、新聞も、両側の２枚のフィルムも停止する。この時、新聞の後端は光センサの光路より下っているからナイフ受け１１の位置では重なったフィルム２枚だけとなっている。
【００２８】
制御器４は、搬送ベルト１３、１３の回転を停止させた後溶着ナイフ２１をナイフ受け１１の方へ前進させて、ナイフ受け上にある２枚のフィルムを熱溶着させる。
熱溶着が完了した後再び搬送ベルトを回転すると、新聞を挟んでいるフィルム部分は下方へ引っ張られるので溶着部分で引きちぎられ、ナイフ受け１１の部分の２枚のフィルムの先端と、新聞後端側のフィルムはそれぞれ溶着された状態で分離され、新聞を挟んだ方は更に、図示されていない熱溶着手段によって左右両側を熱溶着されて排出ガイド１４へと搬送されていく。
【００２９】
以上の過程において、本発明では、挿入口５から新聞を挿入し押し込んで、フィルム溶着端２３ともども搬送ベルト１３、１３に達した時点において、フィルムロール７からのフィルムにたるみ９が存在するようになっている。
【００３０】
また、制御器４は新聞の先端がセンサの光路を通過した検知信号を受けてそれと同時或いは遅れて、モータ３、ベルト２、フィルム駆動ローラ１からなるフィルム駆動手段を駆動させてフィルムロール７を回転させフィルムを繰り出させるようにしている。このフィルム繰り出し速度は、搬送ベルト１３、１３の搬送速度よりも遅く設定され速度差を有している。
【００３１】
従って、新聞６の先端が搬送ベルト１３、１３に達したとき存在したたるみ９は、新聞６が搬送ベルト１３、１３にくわえられて搬送され始めると減少して行く。ここで、たるみ９の量と速度差は、新聞の後端がセンサの光路に達する前にたるみ９がなくなるように設定される。たるみがなくなった後は、フィルムは搬送ベルト１３、１３の搬送力によって引き出されるから搬送速度より遅いフィルム駆動手段による繰り出しは意味がなくなるので、フィルム駆動手段による駆動は停止させる。たるみがなくなるまでの時間は、たるみ量と速度差が設定されればおのずと定まり、一定したものであるから、センサが新聞の先端を検知してからその一定時間より後に、制御器４がフィルム駆動手段のモータ３への電源供給を停止させるようにすればよい。
【００３２】
しかし、フィルムは、搬送ベルト１３、１３の搬送力によって引き出されるからフィルムロール７は回転する。そこでこの回転が円滑に行われるように、フィルム駆動手段にフィルムを引き出す方向には自由となるワンウェイクラッチを用いるのが望ましい。
【００３３】
以上により、たるみがなくなる瞬間はまだフィルム駆動手段によりフィルムロール７はまだ回転しており、フィルムの繰り出しが行われているから、従来のようにフィルムロール７が駆動されておらず、静止している状態からたるみがなくなった瞬間にいきなりフィルムが引っ張る場合に較べて、フィルムにかかる抵抗力（引張力）は小さく、これが大きかった従来の装置が有していた、新聞の先端とフィルム溶着端がずれるとか、新聞の幅方向両側部でフィルムがめくり上って先端が折れた状態で溶着されるとか、フィルム引張力がシャッタ２０の付勢力に勝ってしまい搬送中にシャッタが開いて新聞の面に沿った安定した送りができず、しわを生ずると言ったような諸問題が解消されることになる。
【００３４】
その後、新聞が搬送ベルト１３、１３によって搬送され後端がセンサによって検知され熱溶着が行われた後に制御器４は、次の包装のためのたるみ９を形成すべくフィルム駆動手段を駆動してフィルムロール７から予め定めた量のフィルムを繰り出させる。
本実施例ではこの繰り出し量を正確ならしめるために、フィルム駆動手段に回転量検出手段および慣性回転防止手段を設けている。
【００３５】
図２は、この回転量検出手段および慣性回転防止手段の実施例の構造を示す図である。（ａ）は軸を横にして上から見た図であり、（ｂ）は（ａ）を下方から見た図である。
まず、フィルム駆動ローラ１の駆動軸２６にブレーキローラ２５を固定し、一方支持板３２にブラケット３３を取付け、このブラケット３３にブレーシュー２４をブレーキローラ２５の外周に接するようにして固定する。
これにより、ブレーキローラ２５とブレーキシュー２４との間に摩擦を生じ、図１のモータ３の電源が切れたあと慣性によってフィルムロール７が回転するのを抑制している。
【００３６】
これにより、モータ３に対する電源のオンオフによる回転量制御がブレーキのない場合に較べてより正確になる。
回転量検出手段としては、駆動軸２６とともに回転する円板状のインデックス板２７を駆動軸２６に取り付ける。インデックス板２７には図２の（ｂ）に示すように円周に沿って窓３１が配列されており、外周側からこの窓３１の位置まで挟むようにして光センサ２８が設けられている。
【００３７】
光センサ２８には発光素子２９と受光素子３０とが対向するように設けられており、インデックス板２７が回転して窓３１が光センサ２８の位置に来たときは光が通過し、受光素子は光を受光して受光信号を出力し、窓３１でない部分が来たときには光は遮断されるので信号は出力しない。
従って、受光信号を計数することによってインデックス板２７ひいてはフィルム駆動ローラ１の回転量を計測することができる。
【００３８】
受光素子３０は制御器４へ接続されており、制御器４では、モータ３を起動したときから受光信号の数を計数し、その計数値が予め設定した値になったらモータ３への電源供給を断にするようにしている。
電源供給を断にした後は、ブレーキシュー２４の摩擦により慣性による回転は抑制されるため、フィルムロール７から繰り出されて形成されたたるみ量は正確に予め設定した量となる。
【００３９】
以上の実施例は、２個のフィルムロールのうちフィルムロール７に対してのみフィルム駆動手段を設けた例であるが、フィルムロール１８に対しても、即ち、両方のフィルムロールに対してフィルム駆動手段を設け、制御器４が両フィルム駆動手段に対して、以上述べたと同様の制御を行うことにより、より一層見栄えのする包装とすることができる。
なお、実施例の説明では被包装物を新聞６として説明したが新聞以外の物であっも同様である。
【図面の簡単な説明】
【００４０】
【図１】本発明実施例の構成を示す図である。
【図２】本発明における慣性回転防止手段と回転検知手段の実施例の構成を示す図である。
【符号の説明】
【００４１】
１  フィルム駆動ローラ
２  ベルト
３  モータ
４  制御器
５  挿入口
６  新聞
７  フィルムロール
８  コロ
９  たるみ
１０  コロ
１１  ナイフ受け
１２  発光素子
１３  搬送ベルト
１４  排出ガイド
１５  たるみ
１６  プーリ
１７  コロ
１８  フィルムロール
１９  支持ローラ
２０  シャッタ
２１  溶着ナイフ
２２  受光素子
２３  フィルム溶着端
２４  ブレーキシュー
２５  ブレーキローラ
２６  駆動軸
２７  インデックス板
２８  光センサ
２９  発光素子
３０  受光素子
３１  窓
３２  支持板
３３  ブラケット
【図１】
2008013225.tif 000003
【図２】
2008013225.tif 000004